(57)【要約】【課題】  モップヘッドへの拭布の取り付けが容易なモップを提供する。【解決手段】  柄４０の先端に連結されるモップヘッド２０を有するモップ１０である。モップヘッド２０は、開状態と閉状態に開閉可能に、回動軸Ｏを介し互いに連結された第１のヘッド部２２及び第２のヘッド部２４を含む。第１のヘッド部２２及び第２のヘッド部２４の拭布取付面２２ｂ、２４ｂには、回動軸Ｏからみて外周縁部２３側に位置する第１の辺２３０及び第２の辺２３４に沿って拭布７０を開状態において係合保持する係合突起６２が複数形成されている。【選択図】  図１
2012075669.tif 000002
【特許請求の範囲】
【請求項１】
柄の先端に連結されるモップヘッドを有するモップであって、
前記モップヘッドは、
開状態と閉状態に開閉可能に、回動軸を介し互いに連結された第１のヘッド部及び第２のヘッド部を含み、
前記第１のヘッド部及び前記第２のヘッド部の拭布取付面には、前記回動軸からみて外周縁部側に位置する第１の辺及び第２の辺に沿って拭布を前記開状態において係合保持する係合突起が複数形成されていることを特徴とするモップ。
【請求項２】
前記係合突起は、前記回動軸とは反対側へ向けて先端部が延びることを特徴とする請求項１記載のモップ。
【請求項３】
前記第１のヘッド部及び前記第２のヘッド部は、前記回動軸方向を長手方向とする略長方形に形成され、
前記第１の辺及び前記第２の辺は、前記長手方向に沿った第１の長辺及び第２の長辺であることを特徴とする請求項１または２記載のモップ。
【請求項４】
前記第1の長辺及び前記第２の長辺は、両端よりも中心付近の方が前記回動軸から遠くなる略円弧状であり、かつ、両端よりも中心付近の方が被清掃面から遠くなる略円弧状であることを特徴とする請求項３記載のモップ。
【請求項５】
前記モップヘッドは、前記第１のヘッド部に対して前記第２のヘッド部を前記開状態と前記閉状態との間の中間停止位置で固定する係止部をさらに有することを特徴とする請求項１ないし４のいずれかに記載のモップ。
【請求項６】
前記係止部は、前記第１のヘッド部に対して前記第２のヘッド部を前記開状態、前記閉状態及び前記中間停止位置の少なくとも３箇所で固定する係合機構と、前記第１のヘッド部に対して前記第２のヘッド部が回動可能な状態に該係合機構による固定を解除する解除機構と、を有することを特徴とする請求項５記載のモップ。
【請求項７】
前記モップヘッドは、前記第１のヘッド部に対して前記第２のヘッド部を閉方向へ常時付勢する付勢部材をさらに有することを特徴とする請求項６記載のモップ。
【発明の詳細な説明】
【技術分野】
【０００１】
本発明は、払拭するためのモップに関する。
【背景技術】
【０００２】
従来から床や家具などを払拭する清掃用具としてモップが用いられている。近年、モップヘッドに使い捨ての不織布を装着し、払拭清掃するモップが多く流通している。モップヘッドを折り曲げることにより作業状態を変更可能なモップが開示されていた（例えば、特許文献１参照）。しかしながら、拭布の取り付けについてはモップヘッドの下面から上面にかけて巻き付け、上面に設けられた止着手段によって固定していた。
【先行技術文献】
【特許文献】
【０００３】
【特許文献１】特開平１０−２８６２０８号公報
【発明の概要】
【発明が解決しようとする課題】
【０００４】
本発明の目的は、モップヘッドへの拭布の取り付けが容易なモップを提供することにある。
【課題を解決するための手段】
【０００５】
本発明にかかるモップは、
柄の先端に連結されるモップヘッドを有するモップであって、
前記モップヘッドは、
開状態と閉状態に開閉可能に、回動軸を介し互いに連結された第１のヘッド部及び第２のヘッド部を含み、
前記第１のヘッド部及び前記第２のヘッド部の拭布取付面には、前記回動軸からみて外周縁部側に位置する第１の辺及び第２の辺に沿って拭布を前記開状態において係合保持する係合突起が複数形成されていることを特徴とする。
【０００６】
本発明にかかるモップによれば、モップヘッドの係合突起が拭布と接触した状態で第１のヘッド部に対して第２のヘッド部を開くように回動することによって、係合突起と拭布とが係合することができ、モップヘッドへ拭布を容易に取り付けることができる。特に、係合突起をヘッド部の回動軸と対向する第１の辺及び第２の辺に形成することで、モップヘッドを開くと係合突起が拭布を広げることである程度の引張力を拭布に与えたままモップヘッドに拭布を取り付けることができる。
【０００７】
本発明にかかるモップにおいて、
前記係合突起は、前記回動軸とは反対側へ向けて先端部が延びる構成としてもよい。このようにすることで、本発明にかかるモップは、係合突起が拭布と確実に係合しこれを保持することができる。
【０００８】
本発明にかかるモップにおいて、
前記第１のヘッド部及び前記第２のヘッド部は、前記回動軸方向を長手方向とする略長方形に形成され、
前記第１の辺及び前記第２の辺は、前記長手方向に沿った第１の長辺及び第２の長辺とする構成としてもよい。このようにすることで、本発明にかかるモップは、長辺に沿って多数の係合突起を形成することができ、係合突起が拭布と確実に係合することができる。また、長辺に沿って係合突起を形成することで、モップヘッドの開閉による回動半径が短辺となり、係合突起が拭布に接触してから確実に係合するまでの距離を短くすることができる。
【０００９】
本発明にかかるモップにおいて、
前記第1の長辺及び前記第２の長辺は、両端よりも中心付近の方が前記回動軸から遠くなる略円弧状であり、かつ、両端よりも中心付近の方が被清掃面から遠くなる略円弧状とする構成としてもよい。このようにすることで、本発明にかかるモップは、モップヘッドが所定角度に開いた状態で拭布と第1の長辺及び第２の長辺に形成された係合突起とが接触して確実に係合することができる。また、このようなモップは、モップヘッドが開いて拭布を確実に取り付けた状態において、第1の長辺及び第２の長辺の中心付近が被清掃面から所定距離を有して拭布を持ち上げることができるので、清掃時に被清掃面のゴミを内部まで取り込むことができる。
【００１０】
本発明にかかるモップにおいて、前記モップヘッドは、前記第１のヘッド部に対して前記第２のヘッド部を前記開状態と前記閉状態との間の中間停止位置で固定する係止部をさらに有する構成としてもよい。このようにすることで、本発明にかかるモップは、第１、第２のヘッド部を中間停止位置で固定した状態で係合突起と拭布とを接触させることができ、常に拭布を一定の操作でモップヘッドに取り付けることができる。
【００１１】
本発明にかかるモップにおいて、前記係止部は、前記第１のヘッド部に対して前記第２のヘッド部を前記開状態、前記閉状態及び前記中間停止位置の少なくとも３箇所で固定する係合機構と、前記第１のヘッド部に対して前記第２のヘッド部が回動可能な状態に該係合機構による固定を解除する解除機構と、を有する構成としてもよい。このようにすることで、本発明にかかるモップは、操作者によって第１、第２のヘッド部を所定の開閉状態に固定または解除することができる。
【００１２】
本発明にかかるモップにおいて、前記モップヘッドは、前記第１のヘッド部に対して前記第２のヘッド部を閉方向へ常時付勢する付勢部材をさらに有する構成としてもよい。このようにすることで、本発明にかかるモップは、係合機構による固定を解除することによって第１、第２のヘッド部を容易に閉状態にすることができる。
【発明の効果】
【００１３】
以上説明したように、本発明にかかるモップは、モップヘッドへの拭布の取り付けが容易である。
【図面の簡単な説明】
【００１４】
【図１】本発明の一実施形態にかかるモップの開状態を模式的に示す斜視図である。
【図２】本発明の一実施形態にかかるモップの閉状態を模式的に示す斜視図である。
【図３】本発明の一実施形態にかかるモップの第１のヘッド部を模式的に示す斜視図である。
【図４】本発明の一実施形態にかかるモップの第２のヘッド部を模式的に示す斜視図である。
【図５】本発明の一実施形態にかかるモップの第１のヘッド部の係止部を模式的に示すＸ−Ｘ’断面図である。
【図６】本発明の一実施形態にかかるモップの第２のヘッド部の係止部を模式的に示すＹ−Ｙ’断面図である。
【図７】本発明の一実施形態にかかるモップに拭布を取り付ける工程を模式的に示す断面図である。
【図８】本発明の一実施形態にかかるモップに拭布を取り付ける工程を模式的に示す断面図である。
【図９】本発明の一実施形態にかかるモップを模式的に示す正面図である。
【発明を実施するための形態】
【００１５】
以下、本発明の実施の形態について図面を参照しながら詳細に説明する。
【００１６】
図１は、本発明の一実施形態にかかるモップ１０の開状態を模式的に示す斜視図であり、図２は、本発明の一実施形態にかかるモップ１０の閉状態を模式的に示す斜視図である。モップ１０は、柄４０の先端に連結されるモップヘッド２０を有するモップ１０であって、モップヘッド２０は、開状態と閉状態に開閉可能に、回動軸Ｏを介し互いに連結された第１のヘッド２２部及び第２のヘッド部２４を含み、前記第１のヘッド部２２及び前記第２のヘッド部の拭布取付面２２ｂ、２４ｂには、前記回動軸Ｏからみて外周縁部２３側に位置する第１の辺２３０及び第２の辺２３４に沿って拭布７０を前記開状態において係合保持する係合突起６２が複数形成されている。柄４０は、柄取付け部４２を図示しない例えば長い円筒状の柄本体の先端に差し込み固定することができる。
【００１７】
図１に示すような開状態すなわち使用状態において、モップヘッド２０は、上面を構成する第１の面２２ａ，２４ａの外周縁部２３が回動軸Ｏと平行な長手方向Ａに長い略長方形に形成されている。拭布７０は、図１において点線で示すように、モップヘッド２０の外形よりも多少大きい略長方形であり、モップヘッド２０の下面を構成する第２の面２２ｂ、２４ｂに対向して取り付けられ、公知の材質例えば不織布や綿布のような雑巾を用いることができる。
【００１８】
モップヘッド２０は、第１の面２２ａに柄４０との連結部３０が形成された第１のヘッド部２２と、第１のヘッド部２２に対し回動軸Ｏを中心に矢印Ｃのように回動可能に連結された第２のヘッド部２４と、を含む。第１のヘッド部２２は、回動軸Ｏに沿って形成された第１の長辺２３０と、第１の長辺２３０と対向する第３の長辺２３１と、第１の長辺２３０と第３の長辺２３１を連結する短辺２３２、２３３と、を有する略長方形に形成されている。第２のヘッド部２４は、回動軸Ｏに沿って形成された第２の長辺２３４と、第２の長辺２３４と対向する第４の長辺２３５と、第２の長辺２３４と第４の長辺２３５を連結する短辺２３６、２３７と、を有する略長方形に形成されている。第１、第２の長辺２３０，２３４は長手方向Ａと平行に延び、短辺２３２、２３３、２３６、２３７は短手方向Ｂと平行に延びる。また、第１、第２の長辺２３０，２３４は、両端よりも中央付近の方が最も回動軸Ｏから遠くなるように外方に凸となる略円弧状に形成されている。
【００１９】
係合突起６２は、第１、第２の長辺２３０，２３４に沿って第２の面２２ｂ、２４ｂに形成された拭布取付け部６０、６０に複数形成されている。このようにすることで、長い第１、第２の長辺２３０，２３４に沿って多数の係合突起６２を形成することができ、係合突起６２が拭布７０と確実に係合することができる。また、第１、第２の長辺２３０，２３４に沿って係合突起６２を形成することで、第１、第２のヘッド部２２，２４の開閉による回動半径が短辺２３２、２３３、２３６、２３７となり、係合突起６２が拭布７０に接触してから取付完了するまでの距離を短くすることができる。
【００２０】
モップヘッド２０は、図２に示すように、第１、第２のヘッド部２２，２４を閉状態にすることで例えば収納時の省スペース化を達成することができる。特に、柄４０を連結部３０において図１に示した矢印Ｅ方向に回転して倒し、さらに矢印Ｄ方向に柄４０を回転することでモップヘッド２０の長手方向Ａに沿って柄４０を倒すことができ、収納時の省スペース化を達成することができる。また、第１、第２のヘッド部２２，２４は、後述する係止部５０によって固定することで少なくとも開状態と閉状態とを維持することができる。
【００２１】
図３は、本発明の一実施形態にかかるモップ１０の第１のヘッド部２２を模式的に示す斜視図であり、図４は、本発明の一実施形態にかかるモップ１０の第２のヘッド部２４を模式的に示す斜視図であり、図５は、本発明の一実施形態にかかるモップ１０の第１のヘッド部２２の係止部５０を模式的に示す図３におけるＸ−Ｘ’断面図であり、図６は、本発明の一実施形態にかかるモップ１０の第２のヘッド部２４の係止部５０を模式的に示す図４におけるＹ−Ｙ’断面図である。
【００２２】
図３における第１のヘッド部２２は、清掃時の使用状態において拭布７０と当接あるいは対向する取付面である第２の面２２ｂを下方から見た斜視図である。第２の面２２ｂには、短辺２３２，２３３に平行な短手方向Ｂに延びる薄板状の補強部２５が第１の長辺２３０に沿って多数形成されている。補強部２５の下端が清掃時の使用状態において拭布７０と接触し、拭布７０を支持して被清掃面に確実に拭布７０を押しつけることができる。第２の面２２ｂにおける第１の長辺２３０側には、拭布取付け部６０の係合突起６２が多数突出して形成されている。
【００２３】
第１のヘッド部２２における第３の長辺２３１には、回動軸Ｏに沿って突出形成された複数の回動ピン２６と、係止部５０の一部を構成する２つの湾曲腕部５１、５１と、が形成されている。湾曲腕部５１、５１は、第３の長辺２３１の中央部に形成された連結部３０を挟んで両側に設けられ、第３の長辺２３１から下方に延びてから湾曲部で反転して上方へ延びた舌片状に形成されている。図５に示すように、湾曲腕部５１における連結部３０と反対側の面には、上下方向すなわち第１の面２２ａ側から第２の面２２ｂ側へ延びる縦長の突部５４が突出して形成されている。湾曲腕部５１，５１は、人が指でつまんで湾曲腕部５１，５１同士を近接する方向へ押すことで容易に変形する程度の柔軟性を有している。また、突部５４は、第１の長辺２３０側の傾斜面よりも第３の長辺２３１側の傾斜面の方が緩やかに形成され、モップヘッド２０が開く方向へ変移し易く、モップヘッドが閉じる方向へ変移しにくい。
【００２４】
図４において、第２のヘッド部２４は、清掃時の使用状態において拭布７０と当接あるいは対向する取付面である第２の面２４ｂを下方から見た斜視図である。第１のヘッド部２２と同様に、第２の面２４ｂには補強部２５が多数形成され、第２の長辺２３４側には係合突起６２が多数形成されている。第４の長辺２３５側には、回動軸Ｏに沿って軸受穴２８が複数形成され、第１のヘッド部２２の回動ピン２６と係合して第１のヘッド部２２に対して第２のヘッド部２４を回転可能に連結することができる。また、第２のヘッド部２４の第３の長辺２３１には、第１のヘッド部２２と連結した際に突部５４，５４と対向する位置に溝部５６が形成された溝形成部５５，５５が突出形成されている。
【００２５】
図６に示すように、溝部５６は、溝形成部５５の中心付近から３方向へ延びる３つの溝部５６Ａ，５６Ｂ，５６Ｃを含む。溝部５６Ａ，５６Ｂ，５６Ｃは、突部５４を受け入れて係止し、第２のヘッド部２４に対し第１のヘッド部２２が回動軸Ｏを中心に回転することを制限することができる。溝５６Ａ，５６Ｂは、第４の長辺２３５側の傾斜面よりも第２の長辺２３４側の傾斜面の方が緩やかに形成されている。溝５６Ｃは、第２の長辺２３４側の傾斜面よりも第４の長辺２３５側の傾斜面の方が緩やかに形成されている。したがって、溝５６Ａ，５６Ｂ，５６Ｃと突部５４の傾斜面とが係合することで、モップヘッド２０が閉じる方向には突部５４が移動しにくく、モップヘッド２０が開く方向には突部５４が移動しやすい。図６に点線で示した突部５４が溝部５６Ａに位置すると、図１に示すように、モップヘッド２０を開状態に維持することができる。そして、突部５４が溝部５６Ｃに位置すると、図２に示すように、モップヘッド２０を閉状態に維持することができる。突部５４が溝部５６Ｂに位置すると、後述する図７に示すようなモップヘッド２０を中間停止位置で開いた状態を維持することができる。
【００２６】
溝部５６Ａ，５６Ｂ，５６Ｃと突部５４とは第１、第２のヘッド部２２，２４を開状態、閉状態及び中間停止位置の少なくとも３箇所で固定する係合機構であり、湾曲腕部５１は係合機構による固定を解除して第１、第２のヘッド部２２，２４が回転可能な状態にする解除機構である。また、湾曲腕部５１は、突部５４が溝部５６へ向かって付勢するように形成され、操作者によって閉状態にある第１、第２のヘッド部２２，２４を手で開くとき、連結部３０側へ柔軟に変形して例えば突部５４が溝部５６Ｃから出て溝部５６Ｂへ入りこみ、突部５４を溝部５６Ｂに対して押しつけるようにして固定する。
【００２７】
図７、図８を用いて、モップヘッド２０に拭布７０を取り付ける方法を説明する。図７は、本発明の一実施形態にかかるモップに拭布を取り付ける工程を模式的に示す断面図であり、図８は、本発明の一実施形態にかかるモップに拭布を取り付ける工程を模式的に示す断面図である。図７及び図８は、図１におけるＺ−Ｚ’断面を用いて、中間停止位置と開位置とにおけるモップヘッド２０の状態を示している。
【００２８】
図７に示すように、モップヘッド２０は、閉状態から２つの第１、第２のヘッド部２２，２４を開状態と閉状態との間の中間停止位置で係止部５０によって固定するまで操作者が手で広げ、例えば床面７２に置かれた拭布７０上で拭布７０の両端に係合突起６２が接触する位置に配置する。操作者がモップヘッド２０を手で広げる際には、係止部５０の突部５４が溝５６Ｃから溝５６Ｂへ比較的容易に移動するので、モップヘッド２０の開き動作は容易に行える。係合突起６２は、回動軸Ｏとは反対側へ向けて先端部６２ａが延びる先細り形状になっているので、図７のように所定角度で拭布７０に押しつけると先端部６２ａが拭布７０と確実に係合することができる。また、第１、第２の長辺２３０，２３４は中央付近が外方に凸となるように湾曲しているため、中央付近の係合突起６２が両端付近の係合突起６２よりも確実に拭布７０と係合することができる。
【００２９】
この状態でさらに矢印Ｆ方向にモップヘッド２０を拭布７０へ押しつけることで、先端部６２ａ、６２ａが拭布７０の両端と係合したまま矢印Ｇ方向に移動し、拭布７０を広げるようにあるいは引き伸ばしながら図８に示すような開状態へ移行する。モップヘッド２０が開く初期において、第１、第２の長辺２３０，２３４の中央付近の係合突起６２がまず拭布７０を押し広げ、そして徐々に第１、第２の長辺２３０，２３４の両端側の係合突起６２が拭布７０に係合していくので、拭布７０を容易に取り付けることができる。また、図７、及び図８には示さないが、モップヘッド２０が開状態になるとき、係止部５０の突部５４は湾曲腕部５１が変形することで溝部５６Ｂを出て溝部５６Ａへ入りこんで固定される。
【００３０】
このようにすることで、係合突起６２が拭布７０と確実に係合しこれを保持することができ、しかも第１、第２のヘッド部２２，２４を中間停止位置で固定した状態で拭布７０と接触させることによって常に拭布を一定の操作でモップヘッドに取り付けることができる。また、図８の開状態において、第１、第２のヘッド部２２，２４は、係止部５０において突部５４が溝部５６Ａに入り込んで固定されるため、開状態を確実に維持することができる。特に、係合突起６２が第１、第２のヘッド部２２，２４の回動軸Ｏと対向する外周縁部２３側に形成されることで、第１、第２のヘッド部２２，２４が回動軸Ｏを中心として開くと係合突起６２は拭布７０を広げながらある程度の引張力を拭布７０に与えたままモップヘッド２０に拭布７０を取り付けることができる。
【００３１】
中間停止位置における第１、第２のヘッド部２２，２４の開き角度は約１３５度であるが、中間停止位置における係合突起６２と拭布７０との係合状態によって適宜開き角度を設定することができる。図７のように、第１、第２のヘッド部２２，２４の短辺２３２、２３３、２３６、２３７を回動半径とした場合には、開き角度を比較的小さく設定して拭布７０の端部に対して突起先端６２ａが確実に係合するようにすることができる。また、図７の中間停止位置から図８の開位置へ移行するときに、突起先端６２によって拭布７０を引き伸ばす距離が短くなり、拭布７０に過度なテンションを与えることがない。
【００３２】
また、図７及び図８に点線で示すように第１、第２のヘッド部２２，２４を閉方向へ常時付勢する付勢部材として例えばばね８０が設けられている。ばね８０は、図１及び図２に示すばね取付け部８２に両端部を保持されている。したがって、図８のように第１、第２のヘッド部２２，２４が開状態で解除機構５２を変形させて突部５４を溝部５６Ａから退避させると、ばね８０の作用で第１、第２のヘッド部２２，２４は図７のような中間停止位置あるいは図２に示すような閉状態へ自動的に変移することができる。この変移の際に使用済みの拭布７０は係合突起６２から外れて容易に取り除くことができる。例えば、この解除機構５２による解除動作をゴミ箱の上で行えば、使用済みの拭布７０に手を触れることなく廃棄することができ、衛生上好ましい。なお、係止部５０の突部５４と溝５４Ａ、５４Ｂの傾斜面は、モップヘッド２０が閉じる方向へ移動しにくいように形成されているので、解除機構５２を操作することで閉じ動作を行うことができる。
【００３３】
図９に示すように、第１、第２の長辺２３０，２３４の中心付近は、拭布取付面側すなわち第２の面２２ｂが凹となる略円弧状に形成されている。言い換えれば、第１、第２の長辺２３０，２３４の中心付近が上方に凸となるように緩やかに湾曲している。図１、図２を用いて説明したように、第１、第２の長辺２３０，２３４が外方に凸となる略円弧状でありため、このように第１、第２の長辺２３０，２３４を上方へ湾曲させることによって、図７のような中間停止位置において第１、第２の長辺２３０，２３４の中央付近の係合突起６２と両端付近の係合突起６２とが拭布７０に対して確実に係合することができる。
【００３４】
また、第１、第２の長辺２３０，２３４の両端付近の係合突起６２による拭布７０のテンションよりも、中央付近の係合突起６２による拭布７０のテンションの方が大きいので、拭布７０を取り付けやすい。図８及び図９に示すように、開状態において、係合突起６２の下端は補強部２５の下端よりも高い位置にあり、拭布７０を取り付けた状態で被清掃面である例えば床面７２にモップ１０を置いたときに、係合突起６２の特に先端部６２ａが床面７２に当たりにくくすることができ、床面７２の傷つきを防止することができる。また、第１、第２のヘッド部２２，２４が開いて拭布７０を確実に取り付けた状態において、第１、第２の長辺２３０，２３４の中心付近の係合突起６２が床面７２から所定距離を有して拭布７０を持ち上げているので、床面７２のゴミを内部まで取り込むことができる。
【００３５】
なお、上記のように本発明の実施の形態について詳細に説明したが、本発明の新規事項及び効果から実体的に逸脱しない多くの変形が可能である。
【符号の説明】
【００３６】
１０  モップ、２０  モップヘッド、２２  第１のヘッド部、２３  外周縁部、２４  第２のヘッド部、２４ａ  第１の面、２４ｂ  第２の面、２５  補強部、２６  回動ピン、２８  軸受穴、３０  連結部、４０  柄、４２  柄取付け部、５０  係合部、５１  湾曲腕部、５２  解除機構、５４  突部、５５  溝形成部、５６  溝部、６０  拭布取付け部、６２  係合突起、６２ａ  先端部、７０  拭布、７２  床面、８０  ばね、８２  ばね取付け部、２３０  第１の長辺、２３１  第３の長辺、２３２、２３３  短辺、２３４  第２の長辺、２３５  第４の長辺、２３６，２３７  短辺、Ｏ  回動軸、Ａ〜Ｇ  矢印
【図１】
2012075669.tif 000003
【図２】
2012075669.tif 000004
【図３】
2012075669.tif 000005
【図４】
2012075669.tif 000006
【図５】
2012075669.tif 000007
【図６】
2012075669.tif 000008
【図７】
2012075669.tif 000009
【図８】
2012075669.tif 000010
【図９】
2012075669.tif 000011